(57)【要約】【課題】表示画像を所望の方向に容易に回転表示させる。【解決手段】メモリーカード５の画像データＤｇを読み出して画像を表示部１５に表示させる制御部１７および画像処理部１６と、表示されている画像についての回転表示を指示する回転指示操作が可能に構成されると共に回転指示操作が行われたときに操作信号Ｓ２を出力する操作部１２とを備え、操作部１２は、回転指示操作として画像の回転についての起点および終点を指示可能に構成され、制御部１７および画像処理部１６は、操作信号Ｓ２によって特定される起点および終点に基づいて回転の回転方向および回転量を特定して、表示部１５に表示させている画像に対応する画像データＤｇに対して特定した回転方向および回転量に応じた画像回転処理を実行した後に、画像回転処理後の画像データＤｇに基づく画像を表示部１５に表示させる。【選択図】        図１
2004279909.tif 000002
【特許請求の範囲】
【請求項１】
記憶手段に記憶されている画像データを読み出して当該画像データに基づく画像を表示部に表示させる制御部と、前記表示部に表示されている前記画像についての回転表示を指示する回転指示操作が可能に構成されると共に当該回転指示操作が行われたときに操作信号を出力する操作部とを備えた表示制御装置であって、
前記操作部は、前記回転指示操作として前記画像の回転についての起点および終点を指示可能に構成され、
前記制御部は、前記操作部によって前記操作信号が出力されたときに、当該出力された操作信号によって特定される前記起点および前記終点に基づいて前記回転の回転方向および回転量を特定して、前記表示部に表示させている前記画像に対応する前記画像データに対して前記特定した回転方向および回転量に応じた画像回転処理を実行した後に、当該画像回転処理後の画像データに基づく前記画像を前記表示部に表示させる表示制御装置。
【請求項２】
前記操作部は、ポインティングデバイスで構成されている請求項１記載の表示制御装置。
【請求項３】
請求項１記載の表示制御装置と、前記画像を表示可能に構成された前記表示部とを備えて構成されている表示装置。
【請求項４】
前記記憶手段としての外部記憶装置を接続可能に構成されている請求項３記載の表示装置。
【請求項５】
前記操作部は、当該表示装置を遠隔操作するための遠隔操作装置の遠隔操作用操作部で構成されている請求項３または４記載の表示装置。
【発明の詳細な説明】
【０００１】
【発明の属する技術分野】
本発明は、記憶手段に記憶されている画像データに基づく画像を表示部に表示させるための表示制御装置および表示装置に関するものである。
【０００２】
【従来の技術】
この種の表示制御装置を備えて表示部に各種画像を表示可能に構成された装置として、撮像ユニット（８）および本体部（９）からなるデジタルカメラ（３）が特開２００２−４４５０６号公報に開示されている。この場合、本体部は、撮像ユニットによって生成された（撮像された）画像データを記憶するメモリカード（２８）を着脱可能に構成されると共に、各種画像を表示するためのＬＣＤ（３１）と、撮像条件や画像表示条件（再生条件）に関する指示を行うための複数の操作ボタンが配列された操作部（４３）とを備えて構成されている。このデジタルカメラでは、メモリカードに記憶されている画像データに基づく画像の表示に際して、まず、撮影モード設定スイッチ（２３）を「再生モード」側に操作する。この際に、全体制御部（４４）がメモリカードから読み出した画像データをＶＲＡＭに転送することにより、転送した画像データに対応する画像をＬＣＤに表示させる。これにより、メモリカードに記憶されている画像データのうち、例えば生成年月日が最も早い画像データに基づく画像がＬＤＣに表示される。次に、所望の画像がＬＣＤに表示されるまで、送りボタン（１７）または戻しボタン（１９）を操作する。この際に、全体制御部は、ボタン操作の都度、メモリカードから画像データを読み出してＶＲＡＭに順次転送する。これにより、所望の画像がＬＣＤに表示される。
【０００３】
一方、例えばデジタルカメラＷＰが９０゜回転した状態で撮像した画像（縦構えで撮像した画像データに基づく画像）は、ＬＣＤに表示された際に、右回りまたは左回りに回転した状態で表示される。この場合、この種のデジタルカメラは、画像を任意の方向に対して回転表示が可能に構成されている。具体的には、ＬＣＤに表示された画像が例えば右回りに９０°回転している場合、まず、所定のボタンを操作してメニュー画面を表示させる。次に、テンキーを操作して、回転表示を指示するメニュー項目にカーソル表示を重ね合わせた後に、確定ボタンを操作する。この際に、一例として、「左９０°回転」、「右９０°回転」および「１８０°回転」の３つの選択項目が表示される。次いで、テンキーを操作して「左９０°回転」にカーソル表示を合わせた状態で確定ボタンを操作する。この際には、デジタルカメラによって画像データに対する画像回転処理が実行されて、画像回転処理後の画像データに基づく画像（すなわち、その上下方向がＬＣＤの上下方向と一致した状態の画像）がＬＣＤに表示される。これにより、デジタルカメラを回転させたり、利用者が首を傾げたりすることなく、ＬＣＤに表示されている画像を鑑賞することが可能となる。
【０００４】
【特許文献１】
特開２００２−４４５０６号公報（第３−８頁）
【０００５】
【発明が解決しようとする課題】
ところが、この種のデジタルカメラには、以下の問題点がある。すなわち、従来のデジタルカメラでは、回転方向（上記の例における「左」、「右」）と、回転量（上記の例における「９０°」、「１８０°」）とが文字や記号によって示された複数の選択項目のうちからいずれかを選択することによって、その選択項目に対応する回転方向および回転量だけ画像を回転させて表示可能に構成されている。しかし、文字などによって回転方向および回転量が示された選択項目を選択する操作方法は、いずれの選択項目が所望の回転方向および回転量に合致しているのかが非常に判り難く、特に、装置の操作に不慣れな者にとっては、表示部（ＬＣＤなど）に表示されている画像を所望の方向に回転させるのが非常に困難であるという問題点が存在する。
【０００６】
一方、この種のデジタルカメラは、撮像した画像をテレビジョン装置等に表示して鑑賞可能に構成されている。具体的には、今日のデジタルカメラでは、例えば信号ケーブルを介してテレビジョン装置などの表示装置に接続可能に構成されて、画像データに基づいて生成した映像信号を表示装置に出力することによってその表示装置の表示部に画像を表示させる構成が採用されている。しかし、デジタルカメラを表示装置に接続して画像を表示させる場合、前述したデジタルカメラ（３）のＬＣＤ（３１）に画像を表示させるのと同様にして、デジタルカメラの操作部を操作して、画像の選択や回転方向の指示などを行う必要がある。この際に、デジタルカメラが信号ケーブルによって表示装置に接続されているため、デジタルカメラを表示装置から遠く離れた位置に移動させることが困難となる。
このため、デジタルカメラを操作する者が表示装置の近傍においてデジタルカメラを操作しなくてはならず、その者が画像鑑賞の妨げとなることがある。
【０００７】
本発明は、かかる問題点に鑑みてなされたものであり、表示部に表示されている画像を所望の方向に容易に回転させて表示させ得る表示制御装置および表示装置を提供することを主目的とする。また、表示装置から離れた位置において画像の回転方向などを指示可能な表示制御装置および表示装置を提供することを他の目的とする。
【０００８】
【課題を解決するための手段】
上記目的を達成すべく本発明に係る表示制御装置は、記憶手段に記憶されている画像データを読み出して当該画像データに基づく画像を表示部に表示させる制御部と、前記表示部に表示されている前記画像についての回転表示を指示する回転指示操作が可能に構成されると共に当該回転指示操作が行われたときに操作信号を出力する操作部とを備えた表示制御装置であって、前記操作部は、前記回転指示操作として前記画像の回転についての起点および終点を指示可能に構成され、前記制御部は、前記操作部によって前記操作信号が出力されたときに、当該出力された操作信号によって特定される前記起点および前記終点に基づいて前記回転の回転方向および回転量を特定して、前記表示部に表示させている前記画像に対応する前記画像データに対して前記特定した回転方向および回転量に応じた画像回転処理を実行した後に、当該画像回転処理後の画像データに基づく前記画像を前記表示部に表示させる。
【０００９】
この表示制御装置では、記憶手段から読み出した画像データに基づく画像を表示部に表示させている状態において利用者によって回転指示操作が行われた際に、制御部が、操作部によって出力された操作信号に基づいて画像の回転方向および回転量を特定して画像回転処理を実行して、画像回転処理後の画像データに基づく画像を表示部に表示させる。この際に、画像の回転についての起点および終点を指示するだけで画像を回転させて表示することが可能なため、回転方向や回転量が文字などによって示された選択項目を選択する従来の操作方法と比較して、操作に不慣れな者であっても画像を容易に所望の方向に回転させて表示させることが可能となる。
【００１０】
また、本発明に係る表示制御装置は、上記の表示制御装置において、前記操作部は、ポインティングデバイスで構成されている。なお、本発明におけるポインティングデバイスには、ジョイスティック、ジョイパッド、マウス、トラックボール、ライトペンおよびディジタイザなどの各種の入力デバイスが含まれる。
【００１１】
この表示制御装置では、例えばマウスによって回転についての起点および終点を指示することによって回転方向および前記回転量の指示が可能に構成されている。具体的には、例えば、回転させる画像上にマウスカーソルを位置させた状態において、その画像を所望の回転方向にドラッグする。この際に、ドラッグの開始位置が回転の起点として認識されると共に、ドラッグの終了位置が回転の終点として認識される。したがって、所望の回転方向に、所望の回転量で画像をドラッグするだけで、表示部に表示されている画像を容易に回転させることが可能となる。
【００１２】
さらに、本発明に係る表示装置は、上記の表示制御装置と、前記画像を表示可能に構成された前記表示部とを備えて構成されている。
【００１３】
この表示装置では、記憶手段から読み出した画像データに基づく画像を表示部に表示させている状態において利用者によって回転指示操作が行われた際に、制御部が、操作部によって出力された操作信号に基づいて画像の回転方向および回転量を特定して画像回転処理を実行して、画像回転処理後の画像データに基づく画像を表示部に表示させる。この際に、画像の回転についての起点および終点を指示するだけで画像を回転させて表示することが可能なため、回転方向や回転量が文字などによって示された選択項目を選択する従来の操作方法と比較して、操作に不慣れな者であっても画像を容易に所望の方向に回転させて表示させることが可能となる。
【００１４】
また、本発明に係る表示装置は、上記の表示装置において、前記記憶手段としての外部記憶装置を接続可能に構成されている。
【００１５】
この表示装置では、記憶手段としての外部記憶装置を接続可能に構成されているため、例えばメモリカードやディジタルカメラなどの外部記憶装置を直接接続して画像データを読み出して、その画像を表示することが可能となる。したがって、この表示装置によれば、デジタルカメラ等の画像再生装置を使用することなく各種の画像を鑑賞することが可能となる。
【００１６】
また、本発明に係る表示装置は、上記の表示装置において、前記操作部は、当該表示装置を遠隔操作するための遠隔操作装置の遠隔操作用操作部で構成されている。
【００１７】
この表示装置では、遠隔操作装置に配設された複数の遠隔操作用の操作ボタンを操作することによって画像の回転についての起点および終点の指示（回転指示操作を行う）が可能に構成されている。したがって、表示装置から遠く離れた位置において画像の回転方向などを指示することが可能となる。また、今日の表示装置は、遠隔操作装置を標準で備えているため、回転方向などを指示するための専用の操作部を設けることなく、この遠隔操作装置を使用して回転方向などを指示可能に構成することで、製造コストの高騰を回避することが可能になる。
【００１８】
【発明の実施の形態】
以下、添付図面を参照して、本発明に係る表示装置の好適な発明の実施の形態について説明する。
【００１９】
図１に示すテレビジョン装置１は、本発明における表示装置の一例であって、本発明に係る表示制御装置と、本発明における表示部および遠隔操作装置とを備えて、ＴＶ放送や図４，６に示す表示画像Ｇｂ，Ｇｆなど（以下、区別しないときには「表示画像Ｇ」ともいう）を表示可能に構成されている。具体的には、テレビジョン装置１は、装置本体２、および装置本体２を遠隔操作するためのリモコン３を備えて構成されると共に、ディジタルスチルカメラ（以下、「ディジタルカメラ４」ともいう）４やメモリカード５などを接続可能に構成されている。
この場合、ディジタルカメラ４およびメモリーカード５は、本発明における記憶手段および外部記憶装置に相当する。この場合、ディジタルカメラ４は、生成した（撮像した）画像データＤｇをメモリカード５などのリムーバブルメモリや、内蔵メモリなどに記憶可能に構成されている。また、ディジタルカメラ４は、信号ケーブル６を介してテレビジョン装置１（装置本体２）などの画像再生装置や画像印刷装置に接続可能に構成されている。この場合、信号ケーブル６としては、一例として、ＵＳＢ（Ｕｎｉｖｅｒｓａｌ  Ｓｅｒｉａｌ  Ｂｕｓ）規格や、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格などに準じた信号ケーブルが採用されている。また、メモリカード５は、本発明における記憶手段の他の一例であって、ディジタルカメラ４などによって生成された（撮像された）画像データＤｇ，Ｄｇ・・を記憶可能に構成されると共に、テレビジョン装置１（装置本体２）やディジタルカメラ４に対して脱着可能に構成されている。
【００２０】
装置本体２は、通信部１１、操作部１２、データ読み出し部１３，１４、表示部１５、画像処理部１６および制御部１７を備えて構成されている。なお、装置本体２は、実際には、ＴＶチューナやスピーカなどを備えて、アンテナを介して受信したＴＶ放送波に基づく各種ＴＶ放送を再生可能に構成されているが、本発明についての理解を容易とするために、これらの構成および動作に関する図示および説明を省略する。通信部１１は、リモコン３によって出力された操作信号Ｓ１（一例として、赤外線通信による信号）を受信可能に構成されると共に、受信した操作信号Ｓ１を制御部１７に出力する。操作部１２は、電源スイッチ、チャネル選択ボタン、音量調整ボタンなどの各種操作ボタン（図示せず）が配列されて構成され、これらのボタン操作に応じた操作信号Ｓ２を出力する。データ読み出し部１３は、メモリカード５を装着（接続）可能に構成されると共に、画像処理部１６の制御に従い、メモリカード５からの画像データＤｇの読み出し、およびメモリカード５に対する画像データＤｇの書き込み（または画像データＤｇの消去）を実行する。データ読み出し部１４は、信号ケーブル６を接続可能に構成されると共に、画像処理部１６の制御に従い、信号ケーブル６を介してディジタルカメラ４からの画像データＤｇの読み出しおよびディジタルカメラ４に対する画像データＤｇの書き込み（または画像データＤｇの消去）を実行する。
【００２１】
表示部１５は、特に限定されないが、一例としてカラー液晶パネルを有する液晶表示器で構成されて、ＴＶチューナによって生成された映像信号に基づく映像（ＴＶ放送）や、後述するように画像処理部１６によって生成される画像表示データＤｈに基づく画像などを表示する。画像処理部１６は、ディジタルカメラ４やメモリカード５に記憶されている画像データＤｇに基づく画像（静止画）を表示部１５に表示させるための静止画像専用の処理部であって、データ読み出し部１３，１４および制御部１７と相俟って本発明における制御部を構成する。この画像処理部１６は、ＶＤＰやＶＲＡＭなど（図示せず）を備えて、制御部１７の制御下で画像データＤｇに基づいて画像表示データＤｈを生成して出力する。また、画像処理部１６は、表示部１５に表示させている画像についての回転を指示する制御信号Ｓ３が制御部１７によって出力されたときに、画像データＤｇに対する画像回転処理を実行すると共に、回転処理後の画像データＤｇに基づいて画像表示データＤｈを生成して表示部１５に出力する。制御部１７は、通信部１１によって出力された操作信号Ｓ１や操作部１２によって出力された操作信号Ｓ２に応じて装置本体２全体を総括的に制御する。また、制御部１７は、データ読み出し部１３およびデータ読み出し部１４にメモリカード５およびディジタルカメラ４がそれぞれ接続されているか否かの判別処理と、通信部１１によって出力された操作信号Ｓ１に基づいて画像の回転方向および回転量を特定して制御信号Ｓ３を出力する処理と、画像処理部１６に対する画像処理制御とを実行する。
【００２２】
また、リモコン３は、本発明における遠隔操作装置に相当し、図２に示すように、電源ボタン２１、チャネル選択ボタン２２ａ〜２２ｌ（以下、区別しないときには「チャネル選択ボタン２２」ともいう）、メニューボタン２３、カーソル移動ボタン２４ａ〜２４ｄ（以下、区別しないときには「カーソル移動ボタン２４」ともいう）、決定ボタン２５および取消しボタン２６などの各種操作ボタンが配列された操作部（遠隔操作用操作部）３ａを備えて構成されている。また、リモコン３は、操作部３ａの各操作ボタンが操作された際に、その操作内容（操作された操作ボタンと、その操作順序）を特定可能な操作信号Ｓ１を赤外線通信によって装置本体２（通信部１１）に出力する。
【００２３】
このテレビジョン装置１では、リモコン３の電源ボタン２１または操作部１２の電源スイッチが操作されて電源が投入された際に、制御部１７が、データ読み出し部１３にメモリカード５が装着されているか否かの判別、およびデータ読み出し部１４にディジタルカメラ４などが接続されているか否かの判別を行う判別処理を実行する。この際に、データ読み出し部１３にメモリカード５が装着されていないで、かつ、データ読み出し部１４にディジタルカメラ４などが接続されていないときには、制御部１７は、ＴＶチューナによって生成された映像信号に基づく映像を表示部１５に表示させる。これにより、各種ＴＶ放送の映像が表示部１５に表示される。
【００２４】
一方、例えばデータ読み出し部１３にメモリカード５が装着されていると判別したとき、または、表示部１５にＴＶ放送を表示させている状態においてデータ読み出し部１３へのメモリカード５の装着を検出したときには、制御部１７は、画像処理部１６に制御信号Ｓ３を出力して、図３に示す一覧表示画面３１を表示部１５に表示させる。この際に、画像処理部１６は、データ読み出し部１３を介してメモリカード５から画像データＤｇ，Ｄｇ・・を読み出すと共に、読み出した画像データＤｇ，Ｄｇ・・に基づいて画像表示データＤｈを生成して表示部１５に出力する。これにより、図３に示すように、一覧表示画面３１が表示部１５に表示される。この場合、一覧表示画面３１には、各画像データＤｇ，Ｄｇ・・にそれぞれ対応するサムネイル画像Ｇｔａ，Ｇｔｂ・・（以下、区別しないときには「サムネイル画像Ｇｔ」ともいう）と、いずれかのサムネイル画像Ｇｔを選択するためのカーソル表示３０とが表示されている。この状態において、利用者は、リモコン３のカーソル移動ボタン２４を操作することにより、表示部１５に拡大表示させるサムネイル画像Ｇｔにカーソル表示３０を重ね合わせた後に、決定ボタン２５を操作する。この際に、リモコン３は、利用者の操作に応じて、操作された操作ボタンを特定可能な操作信号Ｓ１を出力する。これに応じて、装置本体２では、通信部１１が操作信号Ｓ１を受信して制御部１７に出力し、制御部１７が操作信号Ｓ１の内容に従って画像処理部１６に対してカーソル表示３０の表示位置を移動させる旨を指示する。また、制御部１７は、決定ボタン２５が操作された旨の操作信号Ｓ１が出力されたときに、その時点においてカーソル表示３０が重ね合わされているサムネイル画像Ｇｔに対応する表示画像Ｇを表示部１５に表示させる旨の制御信号Ｓ３を画像処理部１６に出力する。
【００２５】
これに応じて、画像処理部１６は、制御信号Ｓ３が出力された時点においてカーソル表示３０が重ね合わされているサムネイル画像Ｇｔに対応する画像データＤｇをメモリカード５から読み出すと共に、読み出した画像データＤｇに基づいて画像表示データＤｈを生成して表示部１５に出力する。具体的には、一覧表示画面３１においてカーソル表示３０が例えばサムネイル画像Ｇｔｂに重ね合わされている状態で決定ボタン２５が操作されたときには、画像処理部１６は、サムネイル画像Ｇｔｂに対応する画像データＤｇをメモリカード５から読み出して画像表示データＤｈを生成する。これにより、図４に示すように、サムネイル画像Ｇｔｂが拡大表示された表示画像Ｇｂを含む画像表示画面３２が表示部１５に表示される。続いて、図３に示すサムネイル画像Ｇｔｃに対応する表示画像Ｇｃ（図示せず）を表示させる際には、利用者は、まず、リモコン３の取消しボタン２６を操作する。この際には、画像表示画面３２に代えて、一覧表示画面３１が表示部１５に表示される。次に、利用者は、カーソル移動ボタン２４ｄを操作することによってカーソル表示３０をサムネイル画像Ｇｔｃに重ね合わせた後に決定ボタン２５を操作する。これにより、一覧表示画面３１に代えて、画像表示画面３２が表示されて、サムネイル画像Ｇｔｃを拡大表示する表示画像Ｇｃ（図示せず）が表示部１５に表示される。
【００２６】
一方、このテレビジョン装置１では、例えばディジタルカメラ４を回転した状態で撮像した（生成した）画像データＤｇに基づく表示画像Ｇを表示させる際に、その表示画像Ｇについての任意の方向への回転表示が可能となっている。具体的には、例えば、図３に示すサムネイル画像Ｇｔｆにカーソル表示３０を重ね合わせた状態において決定ボタン２５が操作されたときには、図５に示すように、表示部１５には、画像全体が左回りに９０°回転して拡大表示された表示画像Ｇｆを含む画像表示画面３２が表示される。したがって、利用者は、例えば、表示画像Ｇｆの上端部を表示部１５の右側部に位置させるように回転させるのをイメージして（表示画像Ｇｆを右回りに９０°回転させるイメージ）、リモコン３をそのイメージに従って操作することで回転の起点と終点とを指示する。具体的には、図５に示すように、左回りに９０°回転している表示画像Ｇｆが表示部１５に表示されている状態において、例えばカーソル移動ボタン２４ａを操作した後に（回転についての起点の指示）、カーソル移動ボタン２４ｄを操作する（回転についての終点の指示）。この際に、リモコン３は、カーソル移動ボタン２４ａ，２４ｄの順に操作されたことを特定可能な操作信号Ｓ１を出力する。
【００２７】
これに応じて、装置本体２では、制御部１７が、通信部１１によって受信された操作信号Ｓ１に基づいて、表示部１５に表示させている表示画像Ｇｆを右回りに９０°回転させる旨を指示されたと特定（回転方向および回転量の特定）して画像処理部１６に制御信号Ｓ３を出力する。また、画像処理部１６は、制御部１７によって出力された制御信号Ｓ３に従い、表示画像Ｇｆに対応する画像データＤｇに対して右回りに９０°回転させる画像回転処理を実行した後に、画像回転処理後の画像データＤｇに基づいて画像表示データＤｈを生成して表示部１５に出力する。これにより、図６に示すように、右回りに９０°回転した表示画像Ｇｆ（画像表示画面３２）が表示部１５に表示される。
【００２８】
なお、上記の例では、カーソル移動ボタン２４ａ，２４ｄの順に操作したが、これに代えて、カーソル移動ボタン２４ｄ，２４ｂの順、カーソル移動ボタン２４ｂ，２４ｃの順、およびカーソル移動ボタン２４ｃ，２４ａの順のいずれかでカーソル移動ボタン２４を操作したとしても、上記の例と同様にして、表示画像Ｇｆが右回りに９０°回転して表示される。また、カーソル移動ボタン２４ａ，２４ｃの順、カーソル移動ボタン２４ｃ，２４ｂの順、カーソル移動ボタン２４ｂ，２４ｄの順、およびカーソル移動ボタン２４ｄ，２４ａの順のいずれかでカーソル移動ボタン２４を操作した場合には、表示画像Ｇｆが左回りに９０°回転して表示される。さらに、決定ボタン２５を挟んで対向する位置に配設されているカーソル移動ボタン２４を順に操作した場合には、表示部１５に表示されている表示画像Ｇｆが１８０°回転させられた状態で表示される。この場合、例えばカーソル移動ボタン２４ａ，２４ｄの順にカーソル移動ボタン２４を操作した後に、再びカーソル移動ボタン２４ａ，２４ｄの順にカーソル移動ボタン２４を操作した場合には、カーソル移動ボタン２４の操作前の状態に対して１８０°回転した状態の表示画像Ｇｆが表示部１５に表示される。したがって、順に操作するカーソル移動ボタン２４の組み合わせと、その操作順序を適宜変更することにより、表示部１５に表示されている表示画像Ｇｆを所望の回転方向に所望の回転量だけ任意に回転させて表示させることが可能となる。
【００２９】
また、上記の例では、データ読み出し部１３に装着されたメモリカード５からＤｇ，Ｄｇ・・を読み出して表示画像Ｇを表示させる例について説明したが、メモリカード５に代えてディジタルカメラ４からＤｇ，Ｄｇ・・を読み出して表示画像Ｇを表示させることもできる。具体的には、ディジタルカメラ４とテレビジョン装置１（データ読み出し部１４）とを信号ケーブル６によって接続した際に、制御部１７がディジタルカメラ４の接続を検出する。この場合、このテレビジョン装置１では、信号ケーブル６を介してデータ読み出し部１４に接続されたディジタルカメラ４を外部記憶デバイスとして認識する。したがって、前述したメモリカード５に記憶されている画像データＤｇに基づく表示画像Ｇの表示と同様にして、ディジタルカメラ４に記憶されている画像データＤｇを読み出して、読み出した画像データＤｇに基づく表示画像Ｇの表示が可能となる。この場合、このテレビジョン装置１は、ディジタルカメラ４のみならず、信号ケーブル６を介してデータ読み出し部１４に接続可能な各種の外部記憶デバイスを外部記憶装置として使用することが可能に構成されている。
【００３０】
このように、このテレビジョン装置１によれば、表示画像Ｇの回転についての起点および終点を指示することでその回転方向および回転量を指示可能に構成された操作部３ａを有するリモコン３を備え、制御部１７がリモコン３から出力された操作信号Ｓ１に基づいて回転方向および回転量を特定して画像処理部１６に対して画像データＤｇについての画像回転処理を実行させることにより、回転の起点を指示した後に（上記の例におけるカーソル移動ボタン２４ａの操作）、所望の回転方向を指示するだけで（回転についての終点の指示：上記の例におけるカーソル移動ボタン２４ｄの操作）表示画像Ｇを回転させて表示させることができるため、画像を回転させる方向が文字や記号で示された選択候補を選択する従来の操作方法と比較して、この種の機器の操作に不慣れな者であったとしても、表示画像Ｇを容易に所望の方向に回転させて表示させることができる。
【００３１】
また、このテレビジョン装置１によれば、本発明に係る表示制御装置と、メモリカード５やディジタルカメラ４を接続可能に構成されたデータ読み出し部１３およびデータ読み出し部１４と、表示画像Ｇを表示可能に構成された表示部１５とを備えたことにより、例えば画像データＤｇ，Ｄｇ・・が記憶されているメモリカード５をデータ読み出し部１３に装着（接続）することで、ディジタルカメラ４を操作することなく画像データＤｇに基づく表示画像Ｇを表示部１５に表示させることができる。また、ディジタルカメラ４の内蔵メモリや、ディジタルカメラ４に装着されているメモリカード５に記憶されている画像データＤｇについても、ディジタルカメラ４を操作することなく画像データＤｇに基づく表示画像Ｇを表示部１５に表示させることができる。この場合、本発明における操作部をリモコン３の操作部３ａで構成したことにより、装置本体２から遠く離れていたとしても表示画像Ｇの回転方向および回転量を指示することができる。したがって、信号ケーブルを介してテレビジョン装置に接続されたディジタルカメラを操作するのとは異なり、表示画像Ｇの回転方向および回転量を指示する者が表示画像Ｇの鑑賞の妨げとなる事態を回避することができる。
【００３２】
なお、本発明は、上記した本発明の実施の形態に限定されない。例えば、本発明の実施の形態では、本発明に係る表示制御装置をテレビジョン装置に搭載した例について説明したが、本発明に係る表示制御装置を搭載する機器はこれに限定されず、ディジタルスチルカメラ、ディジタルビデオカメラおよび各種録画再生機器や、スキャニングした画像を表示可能に構成されたスキャナーなどの各種電子機器にも搭載することができる。また、本発明の実施の形態では、リモコン３における操作部３ａのカーソル移動ボタン２４ａ〜２４ｄおよび決定ボタン２５を操作することによって本発明における回転指示操作を行う例について説明したが、本発明はこれに限定されず、例えば、カーソル移動ボタン２４ａ〜２４ｄに代えてチャネル選択ボタン２２ｂ，２２ｈ，２２ｄ，２２ｆを操作すると共に、決定ボタン２５に代えてチャネル選択ボタン２２ｅを操作することで回転指示操作が可能に構成することもできる。また、装置本体２の操作部１２にカーソル移動ボタンや決定ボタンを設けることで、このカーソル移動ボタンや決定ボタンを操作して回転指示操作が可能に構成することもできる。
【００３３】
さらに、本発明における操作部は、上記のような操作ボタンで構成されたものに限定されず、各種のポインティングデバイスを採用して本発明における操作部を構成することができる。例えば、前述したリモコン３のカーソル移動ボタン２４に代えて、ジョイスティック（またはジョイパッド）で構成することができる。この場合、図７に示すように、画像表示画面３２に表示されたカーソル表示４０を矢印Ａの向きに移動させるように表示画像Ｇｆをドラッグして回転の起点と終点とを指示することにより、表示画像Ｇｆが右回りに９０°回転させられて表示されるように構成する。この構成によれば、利用者が所望の回転方向に表示画像Ｇｆをドラッグするだけで、図８に示すように表示画像Ｇｆが例えば右回りに９０°回転させられた状態の画像表示画面３２が表示部１５に表示されるため、操作に不慣れな者であっても、表示画像Ｇｆを一層容易に回転させることができる。
【図面の簡単な説明】
【図１】テレビジョン装置１の構成を示すブロック図である。
【図２】リモコン３における各操作ボタンの配列を示す平面図である。
【図３】一覧表示画面３１の一例を示す表示画面図である。
【図４】画像表示画面３２の一例を示す表示画面図である。
【図５】画像表示画面３２の他の一例を示す表示画面図である。
【図６】図５に示す表示画像Ｇｆを回転させた状態の表示画面図である。
【図７】画像表示画面３２のさらに他の一例を示す表示画面図である。
【図８】図７に示す表示画像Ｇｆを回転させた状態の表示画面図である。
【符号の説明】
１  テレビジョン装置、２  装置本体、３  リモコン、３ａ，１２  操作部、４  ディジタルカメラ、５  メモリカード、６  信号ケーブル、１１  通信部、１３，１４  データ読み出し部、１５  表示部、１６  画像処理部、１７  制御部、２２ａ〜２２ｌ  チャネル選択ボタン、２４ａ〜２４ｄ  カーソル移動ボタン、２５  決定ボタン、２６  取消しボタン、３０，４０  カーソル表示、３１一覧表示画面、３２  画像表示画面、Ｄｇ  画像データ、Ｄｈ  画像表示データ、Ｇｂ，Ｇｆ  表示画像、Ｇｔａ〜Ｇｔｋ  サムネイル画像、Ｓ１，Ｓ２  操作信号、Ｓ３  制御信号
【図１】
2004279909.tif 000003
【図２】
2004279909.tif 000004
【図３】
2004279909.tif 000005
【図４】
2004279909.tif 000006
【図５】
2004279909.tif 000007
【図６】
2004279909.tif 000008
【図７】
2004279909.tif 000009
【図８】
2004279909.tif 000010